(57)【要約】      （修正有）【課題】上下方向に積み重ね可能な引き出し式の紙製容器を提供する。【解決手段】紙製容器１０の外箱部材２０の底面部には、底面部における少なくとも左右いずれか一方の端辺を基端部として易破断線で囲まれた板状の切起こし自在部３０が当該底面部の平面視中央に向かって突出状に形成されており、前記切起こし自在部３０は、基端部から先端側に向かう長さが外箱部材２０の左右側壁部の高さと等しい腕部３１と、腕部３１よりも先端側に突出状に形成された舌片部と、で構成されており、外箱部材２０の左右側壁部における下縁部には、舌片部が挿入可能な寸法のスリット部３５が形成されている。【選択図】図５
0003214964.tif 000002
【実用新案登録請求の範囲】
【請求項１】
直方体形状の紙製の外箱部材と、
前記外箱部材の前側の側壁部に設けられた引き出し口から当該外箱部材内に挿入されており、内容物が収容可能な引き出し箱部材と、
を備えた紙製容器が上下方向に積み重ね可能となっている紙製容器セットであって、
上下に積み重ねられる紙製容器のうち、上側の紙製容器における前記外箱部材の板状の底面部には、当該底面部における少なくとも左右いずれか一方の端辺を基端部として易破断線で囲まれた板状の切起こし自在部が当該底面部の平面視略中央に向かって突出状に形成されており、
前記切起こし自在部は、
前記基端部から先端側に向かう長さが、下側の紙製容器における前記外箱部材の左右側壁部の高さと等しい腕部と、
当該腕部よりも先端側に突出状に形成された舌片部と、
を有しており、
前記下側の紙製容器における前記外箱部材の左右側壁部における下縁部には、上側の紙製容器における前記舌片部が挿入可能な寸法の貫通孔からなるスリット部が形成されており、
上記の紙製容器が上下に積み重ねられた状態では、
上側の紙製容器において前記易破断線が破断されて前記切起こし自在部が前記基端部から下向きに切り起こされてなり、
当該切起こし自在部の舌片部が、
下側の紙製容器のスリット部に挿入され、かつ当該下側の紙製容器に収納された引き出し箱部材の下方に位置している
ことを特徴とする紙製容器セット。
【請求項２】
前記外箱部材の引き出し口の下縁部には、当該外箱部材における底面部に連続し、かつ当該外箱部材の中央側に向かって折り返された折り返し部が形成されている
請求項１に記載の紙製容器セット。
【請求項３】
請求項１又は請求項２に記載の紙製容器セットに用いられる紙製容器であって、
前記外箱部材に形成されている切起こし自在部は、
前記基端部から先端側に向かう長さが当該外箱部材の左右側壁部の高さと等しい腕部と、
当該腕部よりも先端側に突出状に形成された舌片部と、
を有しており、
さらに前記外箱部材の左右側壁部における下縁部には、前記舌片部が挿入可能な寸法の貫通孔からなるスリット部が形成されている
ことを特徴とする紙製容器。
【考案の詳細な説明】
【技術分野】
【０００１】
本考案は、複数の紙製容器を上下に積み重ね可能な紙製容器セット、及び前記紙製容器セットに用いられる紙製容器に関する。
【背景技術】
【０００２】
従来、御菓子等を内容物とする引き出し式の紙製容器は広く使用されている。このような紙製容器は、購入後は廃棄対象となってしまうため、環境を考慮して二次利用可能なパッケージが強く求められている。
【０００３】
一方、例えば特許文献１には、内容物を引き出し箱部材に収容可能な容器で、かつ上下に積み重ね可能な収納箱が開示されている。
【０００４】
この特許文献１に開示された構成は、上向きに突出した位置固定用係止凸部を、直上の収納箱に形成された位置固定用係止凹部に係止させることによって複数の収納箱を積み重ね可能としている。
【先行技術文献】
【特許文献】
【０００５】
【特許文献１】実用新案登録第３１１９９３４公報
【考案の概要】
【考案が解決しようとする課題】
【０００６】
ここで、本考案者は、引き出し式の紙製容器を二次利用可能とするために、上下に積み重ね可能として多段式の書類ケース(レターケース)とする着想に至った。しかしながら、上記のような御菓子等を内容物とする紙製容器に位置固定用係止凸部のような突出した部位を予め設けておくと、紙製容器の使用形態（一次的な利用形態）において、外観形状が異質となって採用しづらい問題があった。また、位置固定用係止凸部が使用時に潰れたり、内容物の重み等によって変形しやすかったりするため、紙製容器として取り扱いが難しいという問題もあった。
【０００７】
また、当初から２〜３段式の引き出し式紙製容器とすると、展開寸法が過大となってしまい、コスト高を招いてしまう。
【０００８】
そこで本考案は、内容物を引き出し箱部材に収容可能で、突出した部位を有さない直方体形状でありながら必要に応じて紙製容器を上下方向に積み重ねることができる紙製容器セットを提供することを目的とする。
【０００９】
また本考案は、上記の紙製容器セットに用いられる紙製容器を提供することを目的とする。
【課題を解決するための手段】
【００１０】
本考案は、直方体形状の紙製の外箱部材と、前記外箱部材の前側の側壁部に設けられた引き出し口から当該外箱部材内に挿入されており、内容物が収容可能な引き出し箱部材と、を備えた紙製容器が上下方向に積み重ね可能となっている紙製容器セットであって、上下に積み重ねられる紙製容器のうち、上側の紙製容器における前記外箱部材の板状の底面部には、当該底面部における少なくとも左右いずれか一方の端辺を基端部として易破断線で囲まれた板状の切起こし自在部が当該底面部の平面視略中央に向かって突出状に形成されており、前記切起こし自在部は、前記基端部から先端側に向かう長さが、下側の紙製容器における前記外箱部材の左右側壁部の高さと等しい腕部と、当該腕部よりも先端側に突出状に形成された舌片部と、を有しており、前記下側の紙製容器における前記外箱部材の左右側壁部における下縁部には、上側の紙製容器における前記舌片部が挿入可能な寸法の貫通孔からなるスリット部が形成されており、上記の紙製容器が上下に積み重ねられた状態では、上側の紙製容器において前記易破断線が破断されて前記切起こし自在部が前記基端部から下向きに切り起こされてなり、当該切起こし自在部の舌片部が、下側の紙製容器のスリット部に挿入され、かつ当該下側の紙製容器に収納された引き出し箱部材の下方に位置していることを特徴とする紙製容器セットである。
【００１１】
かかる構成における紙製容器は、例えば御菓子等を入れる土産物用の容器として一次利用する場合において外観に突出した部位のない形状であるため、紙製容器として汎用性があって利用しやすい利点がある。また、御菓子等の容器として利用した後に、空き箱となった当該紙製容器を積み重ねて引き出しラックとして二次利用する場合には、前記易破断線を破断して切起こし自在部を切り起こし、当該切起こし自在部の舌片部を下段の紙製容器のスリット部に差し込むことで上下の紙製容器を相互に固定することができる。再度述べると、切起こし自在部は易破断線を破断しない限り外部に突出することがなく、しかも前記外箱部材の底面部に形成されているため、紙製容器の外観を損ねにくい利点がある。
【００１２】
また、前記外箱部材の引き出し口の下縁部には、当該外箱部材における底面部に連続し、かつ当該外箱部材の中央側に向かって折り返された折り返し部が形成されている構成が提案される。
【００１３】
かかる構成にあって、前記引き出し箱部材は、前記折り返し部上面に載置された状態で前記外箱部材内に収容される。このため、上述のように紙製容器が上下に積み重ねられた状態で前記引き出し箱部材の下方には前記折り返し部と前記舌片部とが位置することになる。したがって、前記折り返し部が配置されることにより、前記舌片部によって生じる段差が解消され、当該引き出し箱部材を引き出したり押し込んだりした際に当該引き出し箱部材の下端が前記舌片部と干渉してしまうことを好適に回避することができる。
【００１４】
さらに本考案は、上述の紙製容器セットに用いられる紙製容器であって、前記外箱部材に形成されている切起こし自在部は、前記基端部から先端側に向かう長さが当該外箱部材の左右側壁部の高さと等しい腕部と、当該腕部よりも先端側に突出状に形成された舌片部と、を有しており、さらに前記外箱部材の左右側壁部における下縁部には、前記舌片部が挿入可能な寸法の貫通孔からなるスリット部が形成されていることを特徴とする紙製容器である。
【００１５】
かかる構成とすることにより、互いに同じ型（同じ寸法形状）の紙製容器を利用して上下に積み重ねた紙製容器セットを提供することが可能となる。
【考案の効果】
【００１６】
本考案にかかる紙製容器セットは、紙製容器を上下に積み重ねて位置固定することができると共に、下段の紙製容器の引き出し箱部材と下段の紙製容器のスリット部に差し込まれた舌片部とが干渉せず、引き出し箱部材をスムーズに出し入れすることができる効果がある。
【００１７】
また、本考案にかかる紙製容器は、単品として外観形状に突出した部位のない単純な直方体形状とすることができると共に、必要に応じて上下方向に積み重ねて相互を位置固定することができる効果がある。
【図面の簡単な説明】
【００１８】
【図１】実施例にかかる外箱部材を示し、（ａ）は天面及び前面を主に示す斜視図であり、（ｂ）は後面及び底面を主に示す斜視図である。
【図２】外箱部材の展開状態を示す平面図である。
【図３】実施例にかかる引き出し箱部材を示し、（ａ）は前面を主に示す斜視図であり、（ｂ）は後面及び底面を主に示す斜視図である。
【図４】引き出し箱部材の展開状態を示す平面図である。
【図５】実施例にかかる紙製容器セットを示し、（ａ）は天面及び前面を主に示す斜視図であり、（ｂ）は後面及び底面を主に示す斜視図である。
【図６】紙製容器セットを上下方向に切断して内部の概要を示す説明図である。
【考案を実施するための形態】
【００１９】
以下に本考案を具体化した実施例を詳細に説明する。なお、本考案は、下記に示す実施例に限定されることはなく、適宜設計変更が可能である。ところで、本考案を図示する際には紙厚を強調して表現するが、本考案は図示した構成に限定されることはない。
【００２０】
本実施例の紙製容器１０は、図１に示すような直方体形状の外箱部材２０と、外箱部材２０に収容される図３に示すような引き出し箱部材５０と、を備えている。
【００２１】
まず、外箱部材２０について説明する。
外箱部材２０は、図２に示すような一枚の厚紙からなるブランク２０１を組立てて直方体状に作製されてなり、具体的には、底面部２４と、底面部２４から立ち上がる前面側壁部（前側の側壁部）２１と、前面側壁部２１と連成する左右一対の左右側壁部２５，２５と、左右側壁部２５，２５と連成する後面側壁部２２と、上部を覆う上面部２３と、を備えている。
【００２２】
また、前面側壁部２１には、前方に開放された引き出し口２８が形成されており、引き出し箱部材５０が挿入可能となっている。なお、引き出し口２８の下縁部には、当該外箱部材２０における底面部２４に連続し、かつ当該外箱部材２０の中央側に向かって折り返された折り返し部２７が形成されている。
【００２３】
また、外箱部材２０の板状の底面部２４には、易破断線で囲まれた板状の切起こし自在部３０が形成されている。さらに詳述すると、切起こし自在部３０は、底面部２４と左右側壁部２５，２５との境界である左右両端辺を基端部として底面部２４の平面視中央に向かって突出状に形成されており、ミシン目状の易破断線を破断させることによって切り起こすことが可能となっている。
【００２４】
また、図１（ｂ）に示すように、切起こし自在部３０は、基端部から先端に向かって形成される幅広の腕部３１と、腕部３１よりも先端側に突出状に形成される幅狭の舌片部３２とを有している。
【００２５】
ここで、腕部３１における基端部から先端部までの長さＬ１（図１ｂ参照）は、外箱部材２０の高さＬ２（図１ａ参照）と等しい長さとなっている。
【００２６】
さらに、外箱部材２０の左右側壁部２５，２５における下縁部であって、前後方向において略中央となる位置には、横長形状のスリット部３５，３５が各々形成されている。なお、スリット部３５は、外箱部材２０の内外を貫通する貫通孔によって構成されており、上述の舌片部３２が外側から挿入可能な寸法形状となっている。
【００２７】
一方、引き出し箱部材５０は、図４に示すような一枚の厚紙からなるブランク５０１を組立てて作製されてなる。
【００２８】
具体的に引き出し箱部材５０は、図３に示すように、四角板形状の底板部５１と、底板部５１の各辺から立ち上がる前板部５２、後板部５３、及び左右一対の側板部５４，５４とを備えている。なお、前板部５２の略中央には、引き出し箱部材５０を外箱部材２０から引き出すための指掛け用貫通孔５６が形成されている。
【００２９】
これまでに述べた紙製容器１０は、例えば御菓子を収容する容器として好適に採用可能である。
【００３０】
次に、上述した紙製容器１０を複数備える紙製容器セット１について説明する。なお、紙製容器セット１は、紙製容器１０を上下二段以上に積み重ねることが可能であり、例えばＡ４サイズやＢ５サイズ等の書類ケース（レターケース）として二次利用が可能となる。
【００３１】
図５に示すように、紙製容器セット１は、上段の紙製容器１０における左右の切起こし自在部３０，３０が易破断線に沿って下向きに切り起されてなると共に、各切起こし自在部３０の腕部３１が下段の紙製容器１０の左右側壁部２５，２５を外側から下向きに覆い被さり、そして、その先端の舌片部３２が下段の紙製容器１０の各スリット部３５，３５に外から差し込まれている。
【００３２】
また、図６に示すように、上段の紙製容器１０の切起こし自在部３０の舌片部３２は、下段の紙製容器１０のスリット部３５に挿入された状態で、下段の引き出し箱部材５０の下方に位置している。
【００３３】
かかる構成にあっては、引き出し口２８に形成されている折り返し部２７が底面部２４に対して紙厚分だけ高段部となっており、下段の紙製容器１０における引き出し箱部材５０の下方に空いた紙厚分のスペースに、上段の紙製容器１０の舌片部３２が位置している。かかる構成とすることにより、下段の紙製容器１０の引き出し箱部材５０を出し入れする際に、当該舌片部３２が干渉することがなく、引き出し箱部材５０の出し入れ動作が円滑となる。
【００３４】
このように、紙製容器１０は、単品での一次利用は勿論のこと、複数個を組み合わせて上下方向に積み重ねることによって整理箱、小物入れ、あるいは書類ケース（レターケース）等に二次利用することができる。
【００３５】
また、複数個の紙製容器１０同士が組物として利用可能となるため、購入者に対して複数購入を刺激することになり、販売促進につながる利点や買い足しなどのリピート顧客を生む利点もある。
【００３６】
なお、上記した実施例における各部の寸法形状は適宜自由に選択可能である。
【００３７】
例えば紙製容器１０の材料としては、厚紙以外でも採用可能であり、薄厚のダンボールでも構わない。
【００３８】
また、切起こし自在部３０の形状は、特に限定されない。また、高さ寸法の異なる紙製容器１０を１セットとし、下側の紙製容器１０の高さ寸法と、上側の紙製容器１０の切起こし自在部３０の腕寸法とを揃えた紙製容器セットとしてもよい。また、切起こし自在部３０は、左右一対に限られず、いずれか一方であってもよい。また、低面部２４から切起こし自在部３０を容易に切り起こすことができるような指掛け孔部を形成してもよい。また、引き出し箱部材５０における底板部５１の略中央に、上方へ切り起こされてなる切り起こし部を設け、例えば引き出し箱部材５０に入れられた書類を、前記切り起こし部の上端が下から支持して書類を摘まみやすくして取り出し容易とするようにしてもよい。
【符号の説明】
【００３９】
１          紙製容器セット
１０        紙製容器
２０        外箱部材
２１        前面側壁部
２４        底面部
２５        左右側壁部
２７        折り返し部
２８        引き出し口
３０        切起こし自在部
３１        腕部
３２        舌片部
３５        スリット部
５０        引き出し箱部材
Ｌ１        腕部の長さ
Ｌ２        外箱部材の高さ
【図１】
0003214964.tif 000003
【図２】
0003214964.tif 000004
【図３】
0003214964.tif 000005
【図４】
0003214964.tif 000006
【図５】
0003214964.tif 000007
【図６】
0003214964.tif 000008